【手続補正書】
【提出日】平成24年3月7日(2012.3.7)
【手続補正１】
【補正対象書類名】特許請求の範囲
【補正対象項目名】全文
【補正方法】変更
【補正の内容】
【特許請求の範囲】
【請求項１】
無線通信システムにおける送信機においてシーケンスを伝送する方法であって、
前記方法は、
第１シーケンスまたは第２シーケンスの変調から複素シーケンスを取得することであって、前記第２シーケンスは、同次数における前記１シーケンスの受信から取得される、ことと、
前記複素シーケンスをＯｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ（ＯＦＤＭＡ）シンボル内の複数の副搬送波にマッピングすることと、
前記ＯＦＤＭＡシンボルを介して、前記複素シーケンスを受信機に伝送することと
を含み、
前記第１シーケンスは、以下の表に与えられる、シーケンスセット１、シーケンスセット２およびシーケンスセット３のうちの１つであり、
【表１−１】
2012503407.tif 000001
【表１−２】
2012503407.tif 000002
【表１−３】
2012503407.tif 000003
【表１−４】
2012503407.tif 000004
【表２−１】
2012503407.tif 000005
【表２−２】
2012503407.tif 000006
【表２−３】
2012503407.tif 000007
【表３−１】
2012503407.tif 000008
【表３−２】
2012503407.tif 000009
【表３−３】
2012503407.tif 000010
【表３−４】
2012503407.tif 000011
【表３−５】
2012503407.tif 000012
ここで、ｑはシーケンスインデックスを表し、ｂｌｋはシーケンスを構成するサブブロックを表す、方法。
【請求項２】
前記第１シーケンスまたは前記第２シーケンスのサブブロック内の各値Ｗｉ（ｐ）は、以下の式
【数１】
2012503407.tif 000013
によりＱＰＳＫシンボルであるｗ２ｉ（ｐ）及びｗ２ｉ＋１（ｐ）に変調される、請求項１に記載の方法。
【請求項３】
前記第１シーケンスまたは前記第２シーケンスは、Ｓｅｃｏｎｄ  Ａｄｖａｎｃｅｄ  Ｐｒｅａｍｂｌｅ（ＳＡ−プリアンブル）である、請求項１に記載の方法。
【請求項４】
前記ＳＡ−プリアンブルは、以下の式
【数２】
2012503407.tif 000014
によって与えられる副搬送波に位置決定され、
ここで、ｎは、ＳＡ−プリアンブルキャリアセットインデックスを示し、前記ＳＡ−プリアンブルキャリアセットインデックスは、０〜２の範囲のセグメント識別子（ＩＤ）を表し、ＮＳＡＰは、前記ＳＡ−プリアンブルに対して与えられる値を示し、ｋは、０〜ＮＳＡＰ−１の範囲の整数である、請求項３に記載の方法。
【請求項５】
前記第１シーケンスまたは前記第２シーケンスは、セルＩＤに関する情報を示し、ＩＤセルは、以下の式
【数３】
2012503407.tif 000015
に従い、ここで、ｎは、ＳＡ−プリアンブルキャリアセットインデックスであり、前記ＳＡ−プリアンブルキャリアセットインデックスは、０〜２の範囲のセグメントＩＤを示し、Ｉｄｘは、０〜２５５の整数である、請求項４に記載の方法。
【請求項６】
以下の表
【表４】
2012503407.tif 000016
のブロックカバーシーケンスのうちの１つが、サブブロックベースで前記第１シーケンスまたは前記第２シーケンスに適用される、請求項１に記載の方法。
【請求項７】
前記複素シーケンスは、前記送信機の複数のアンテナを介して伝送され、前記複素シーケンスは、サブブロックベースで、前記複数のアンテナにわたりインターリーブされる、請求項１に記載の方法。
【請求項８】
無線通信システムにおける受信機においてシーケンスを検出する方法であって、
前記方法は、
複素シーケンスをＯｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ（ＯＦＤＭＡ）シンボルを介して送信機から受信すること
を含み、
前記複素シーケンスは、第１シーケンスまたは第２シーケンスの変調から複素シーケンスを取得され、前記第２シーケンスは、同次数における前記１シーケンスの受信から取得される、ことと、
前記複素シーケンスは、前記ＯＦＤＭＡシンボル内の複数の副搬送波にマッピングされ、
前記第１シーケンスは、以下の表に与えられる、シーケンスセット１、シーケンスセット２およびシーケンスセット３のうちの１つであり、
【表５−１】
2012503407.tif 000017
【表５−２】
2012503407.tif 000018
【表５−３】
2012503407.tif 000019
【表５−４】
2012503407.tif 000020
【表６−１】
2012503407.tif 000021
【表６−２】
2012503407.tif 000022
【表６−３】
2012503407.tif 000023
【表７−１】
2012503407.tif 000024
【表７−２】
2012503407.tif 000025
【表７−３】
2012503407.tif 000026
【表７−４】
2012503407.tif 000027
【表７−５】
2012503407.tif 000028
ここで、ｑはシーケンスインデックスを表し、ｂｌｋはシーケンスを構成するサブブロックを表す、方法。
【請求項９】
前記第１シーケンスまたは前記第２シーケンスのサブブロック内の各値Ｗｉ（ｐ）は、以下の式
【数４】
2012503407.tif 000029
によりＱＰＳＫシンボルであるｗ２ｉ（ｐ）及びｗ２ｉ＋１（ｐ）に変調される、請求項８に記載の方法。
【請求項１０】
前記第１シーケンスまたは前記第２シーケンスは、Ｓｅｃｏｎｄ  Ａｄｖａｎｃｅｄ  Ｐｒｅａｍｂｌｅ（ＳＡ−プリアンブル）である、請求項８に記載の方法。
【請求項１１】
前記ＳＡ−プリアンブルは、以下の式
【数５】
2012503407.tif 000030
によって与えられる副搬送波に位置決定され、
ここで、ｎは、ＳＡ−プリアンブルキャリアセットインデックスを示し、前記ＳＡ−プリアンブルキャリアセットインデックスは、０〜２の範囲のセグメント識別子（ＩＤ）を表し、ＮＳＡＰは、前記ＳＡ−プリアンブルに対して与えられる値を示し、ｋは、０〜ＮＳＡＰ−１の範囲の整数である、請求項１０に記載の方法。
【請求項１２】
前記第１シーケンスまたは前記第２シーケンスは、セルＩＤに関する情報を示し、ＩＤセルは、以下の式
【数６】
2012503407.tif 000031
に従い、ここで、ｎは、ＳＡ−プリアンブルキャリアセットインデックスであり、前記ＳＡ−プリアンブルキャリアセットインデックスは、０〜２の範囲のセグメントＩＤを示し、Ｉｄｘは、０〜２５５の整数である、請求項１１に記載の方法。
【請求項１３】
以下の表
【表８】
2012503407.tif 000032
のブロックカバーシーケンスのうちの１つが、サブブロックベースで前記第１シーケンスまたは前記第２シーケンスに適用される、請求項８に記載の方法。
【請求項１４】
前記複素シーケンスは、前記送信機の複数のアンテナを介して伝送され、前記複素シーケンスは、サブブロックベースで、前記複数のアンテナにわたりインターリーブされる、請求項８に記載の方法。
【請求項１５】
無線通信システムにおいてシーケンスを伝送するために使用される装置であって、
前記装置は、
第１シーケンスまたは第２シーケンスの変調から複素シーケンスを取得するシーケンス生成器であって、前記第２シーケンスは、同次数における前記１シーケンスの受信から取得される、シーケンス生成器と、
前記複素シーケンスをＯｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ（ＯＦＤＭＡ）シンボル内の複数の副搬送波にマッピングするための副搬送波マッパと、
前記ＯＦＤＭＡシンボルを介して、前記複素シーケンスを受信機に伝送するための無線周波数（ＲＦ）モジュールと
を含み、
前記第１シーケンスは、以下の表に与えられる、シーケンスセット１、シーケンスセット２およびシーケンスセット３のうちの１つであり、
【表９−１】
2012503407.tif 000033
【表９−２】
2012503407.tif 000034
【表９−３】
2012503407.tif 000035
【表１０−１】
2012503407.tif 000036
【表１０−２】
2012503407.tif 000037
【表１０−３】
2012503407.tif 000038
【表１０−４】
2012503407.tif 000039
【表１１−１】
2012503407.tif 000040
【表１１−２】
2012503407.tif 000041
【表１１−３】
2012503407.tif 000042
【表１１−４】
2012503407.tif 000043
【表１１−５】
2012503407.tif 000044
ここで、ｑはシーケンスインデックスを表し、ｂｌｋはシーケンスを構成するサブブロックを表す、装置。
【請求項１６】
前記第１シーケンスまたは前記第２シーケンスのサブブロック内の各値Ｗｉ（ｐ）は、以下の式
【数７】
2012503407.tif 000045
によりＱＰＳＫシンボルであるｗ２ｉ（ｐ）及びｗ２ｉ＋１（ｐ）に変調される、請求項１５に記載の装置。
【請求項１７】
前記第１シーケンスまたは前記第２シーケンスは、Ｓｅｃｏｎｄ  Ａｄｖａｎｃｅｄ  Ｐｒｅａｍｂｌｅ（ＳＡ−プリアンブル）である、請求項１５に記載の装置。
【請求項１８】
前記ＳＡ−プリアンブルは、以下の式
【数８】
2012503407.tif 000046
によって与えられる副搬送波に位置決定され、
ここで、ｎは、ＳＡ−プリアンブルキャリアセットインデックスを示し、前記ＳＡ−プリアンブルキャリアセットインデックスは、０〜２の範囲のセグメント識別子（ＩＤ）を表し、ＮＳＡＰは、前記ＳＡ−プリアンブルに対して与えられる値を示し、ｋは、０〜ＮＳＡＰ−１の範囲の整数である、請求項１７記載の装置。
【請求項１９】
前記第１シーケンスまたは前記第２シーケンスは、セルＩＤに関する情報を示し、ＩＤセルは、以下の式
【数９】
2012503407.tif 000047
に従い、ここで、ｎは、ＳＡ−プリアンブルキャリアセットインデックスであり、前記ＳＡ−プリアンブルキャリアセットインデックスは、０〜２の範囲のセグメントＩＤを示し、Ｉｄｘは、０〜２５５の整数である、請求項１８に記載の装置。
【請求項２０】
以下の表
【表１２】
2012503407.tif 000048
のブロックカバーシーケンスのうちの１つが、サブブロックベースで前記第１シーケンスまたは前記第２シーケンスに適用される、請求項１５に記載の装置。
【請求項２１】
前記複素シーケンスは、前記送信機の複数のアンテナを介して伝送され、前記複素シーケンスは、サブブロックベースで、前記複数のアンテナにわたりインターリーブされる、請求項１５に記載の装置。
【請求項２２】
無線通信システムにおいてシーケンスを受信するために使用される装置であって、
前記装置は、
Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ（ＯＦＤＭＡ）シンボルを介して、前記複素シーケンスを送信機から受信するための無線周波数（ＲＦ）モジュールを含み、
前記複素シーケンスは、第１シーケンスまたは第２シーケンスの変調から複素シーケンスを取得され、前記第２シーケンスは、同次数における前記１シーケンスの受信から取得され、
前記複素シーケンスは、前記ＯＦＤＭＡシンボル内の複数の副搬送波にマッピングされ、
前記第１シーケンスは、以下の表に与えられる、シーケンスセット１、シーケンスセット２およびシーケンスセット３のうちの１つであり、
【表１３−１】
2012503407.tif 000049
【表１３−２】
2012503407.tif 000050
【表１３−３】
2012503407.tif 000051
【表１３−４】
2012503407.tif 000052
【表１４−１】
2012503407.tif 000053
【表１４−２】
2012503407.tif 000054
【表１４−３】
2012503407.tif 000055
【表１５−１】
2012503407.tif 000056
【表１５−２】
2012503407.tif 000057
【表１５−３】
2012503407.tif 000058
【表１５−４】
2012503407.tif 000059
ここで、ｑはシーケンスインデックスを表し、ｂｌｋはシーケンスを構成するサブブロックを表す、装置。
【請求項２３】
前記第１シーケンスまたは前記第２シーケンスのサブブロック内の各値Ｗｉ（ｐ）は、以下の式
【数１０】
2012503407.tif 000060
によりＱＰＳＫシンボルであるｗ２ｉ（ｐ）及びｗ２ｉ＋１（ｐ）に変調される、請求項２２に記載の装置。
【請求項２４】
前記第１シーケンスまたは前記第２シーケンスは、Ｓｅｃｏｎｄ  Ａｄｖａｎｃｅｄ  Ｐｒｅａｍｂｌｅ（ＳＡ−プリアンブル）である、請求項２２に記載の装置。
【請求項２５】
前記ＳＡ−プリアンブルは、以下の式
【数１１】
2012503407.tif 000061
によって与えられる副搬送波上に位置決定され、
ここで、ｎは、ＳＡ−プリアンブルキャリアセットインデックスを示し、前記ＳＡ−プリアンブルキャリアセットインデックスは、０〜２の範囲のセグメント識別子（ＩＤ）を表し、ＮＳＡＰは、前記ＳＡ−プリアンブルに対して与えられる値を示し、ｋは、０〜ＮＳＡＰ−１の範囲の整数である、請求項２４に記載の装置。
【請求項２６】
前記第１シーケンスまたは前記第２シーケンスは、セルＩＤに関する情報を示し、ＩＤセルは、以下の式
【数１２】
2012503407.tif 000062
に従い、ここで、ｎは、ＳＡ−プリアンブルキャリアセットインデックスであり、前記ＳＡ−プリアンブルキャリアセットインデックスは、０〜２の範囲のセグメントＩＤを示し、Ｉｄｘは、０〜２５５の整数である、請求項２５に記載の装置。
【請求項２７】
以下の表
【表１６】
2012503407.tif 000063
のブロックカバーシーケンスのうちの１つが、サブブロックベースで前記第１シーケンスまたは前記第２シーケンスに適用される、請求項２２に記載の装置。
【請求項２８】
前記複素シーケンスは、前記送信機の複数のアンテナを介して伝送され、前記複素シーケンスは、サブブロックベースで、前記複数のアンテナにわたりインターリーブされる、請求項２２に記載の装置。
【手続補正２】
【補正対象書類名】明細書
【補正対象項目名】００４６
【補正方法】変更
【補正の内容】
【００４６】
ここで、受信機は、前記受信されたシーケンスの実数部を臨時に保存する第１バッファー、前記受信されたシーケンスの虚数部を臨時に保存する第２バッファー、前記少なくとも一つの第１シーケンスに対する実数部を臨時に保存する第３バッファー、及び前記少なくとも一つの第１シーケンスに対する虚数部を臨時に保存する第４バッファーをさらに含むことができる。
例えば、本発明は以下の項目を提供する。
（項目１）
無線通信システムにおいて送信機がシーケンスを伝送する方法であって、
第１シーケンスをシーケンスタイプによって複素シーケンスに変調する段階と、
上記複素シーケンスをＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）シンボル内の複数の副搬送波にマッピングする段階と、
上記ＯＦＤＭＡシンボルを受信機に伝送する段階と、
を含み、
上記第１シーケンスは、下記のシーケンスセット１乃至３を構成するシーケンスのうち少なくとも一つである、シーケンス伝送方法：
【化７３】
2012503407.tif 000064
【化７４】
2012503407.tif 000065
【化７５】
2012503407.tif 000066
【化７６】
2012503407.tif 000067
【化７７】
2012503407.tif 000068
【化７８】
2012503407.tif 000069
【化７９】
2012503407.tif 000070
【化８０】
2012503407.tif 000071
【化８１】
2012503407.tif 000072
【化８２】
2012503407.tif 000073
【化８３】
2012503407.tif 000074
ここで、ｑはシーケンスインデックスを表し、ｂｌｋはシーケンスを構成するサブブロックを表す。
（項目２）
上記第１シーケンスは、ＱＰＳＫ（Ｑｕａｄｒａｔｕｒｅ  Ｐｈａｓｅ  Ｓｈｉｆｔ  Ｋｅｙｉｎｇ）タイプであることを特徴とする、項目１に記載のシーケンス伝送方法。
（項目３）
上記第１シーケンスであるＷｉ（ｐ）は、下記の数学式によりＱＰＳＫシンボルであるｗ２ｉ（ｐ）及びｗ２ｉ＋１（ｐ）に変調されることを特徴とする、項目２に記載のシーケンス伝送方法：
【化８４】
2012503407.tif 000075
ここで、
【化８５】
2012503407.tif 000076
であり、ｉは０乃至１０７の整数を表す。
（項目４）
上記第１シーケンスは、ＦＦＴサイズによって巡回的に拡張されることを特徴とする、項目１に記載のシーケンス伝送方法。
（項目５）
上記第１シーケンスは、ダウンリンク同期のためのＳＡ−プリアンブル（Ｓｅｃｏｎｄ  Ａｄｖａｎｃｅｄ  Ｐｒｅａｍｂｌｅ）であることを特徴とする、項目１に記載のシーケンス伝送方法。
（項目６）
上記ＳＡ−プリアンブルは、下記の数学式によって副搬送波にマッピングされることを特徴とする、項目５に記載のシーケンス伝送方法：
【化８６】
2012503407.tif 000077
ここで、ｎは、ＳＡ−プリアンブルキャリアセットインデックスとして０、１または２の値を有し、セグメントＩＤを表し、ＮＳＡＰは、ＳＡ−プリアンブルの長さを表し、ｋは、０乃至ＮＳＡＰ−１の整数を表す。
（項目７）
上記第１シーケンスは、下記の数学式によってセル識別子（ＩＤｃｅｌｌ）に関する情報を指示することを特徴とする、項目５に記載のシーケンス伝送方法：
ＩＤｃｅｌｌ  ＝  ２５６×ｎ  ＋  Ｉｄｘ
ここで、ｎは、ＳＡ−プリアンブルキャリアセットインデックスとして０、１または２の値を有し、セグメントＩＤを表し、Ｉｄｘは、０乃至２５５の整数を表す。
（項目８）
上記第１シーケンスに、下記の表に記載されたブロックカバーシーケンスのうちのいずれか一つがサブブロック単位で適用されることを特徴とする、項目１に記載のシーケンス伝送方法：
【化８７】
2012503407.tif 000078
ここで、２進シーケンス｛０，１｝に変換されたブロックカバーシーケンスは、｛＋１，−１｝としてマッピングされる。
（項目９）
上記第１シーケンスの送信電力は、下記の表に記載されたブースティングレベルのうちのいずれか一つを用いてブースティングされることを特徴とする、項目１に記載のシーケンス伝送方法：
【化８８】
2012503407.tif 000079
（項目１０）
上記第１シーケンスは、多重アンテナを通じて伝送され、上記多重アンテナに対してブロック単位でインタリーブ（ｉｎｔｅｒｌｅａｖｅｄ）されることを特徴とする、項目１に記載のシーケンス伝送方法。
（項目１１）
無線通信システムにおいてシーケンスを伝送するように構成された送信機であって、
下記のシーケンスセット１乃至３のうち少なくとも一部を保存するメモリーと、
上記メモリーから選択された第１シーケンスをシーケンスタイプによって複素シーケンスに変調するコンステレーションマッピング（ｃｏｎｓｔｅｌｌａｔｉｏｎ  ｍａｐｐｉｎｇ）モジュールと、
上記複素シーケンスをＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）シンボル内の複数の副搬送波にマッピングするように構成された副搬送波マッピングモジュールと、
上記ＯＦＤＭＡシンボルを受信機に伝送するように構成された無線周波数（Ｒａｄｉｏ
Ｆｒｅｑｕｅｎｃｙ；ＲＦ）モジュールと、を含む送信機：
【化８９】
2012503407.tif 000080
【化９０】
2012503407.tif 000081
【化９１】
2012503407.tif 000082
【化９２】
2012503407.tif 000083
【化９３】
2012503407.tif 000084
【化９４】
2012503407.tif 000085
【化９５】
2012503407.tif 000086
【化９６】
2012503407.tif 000087
【化９７】
2012503407.tif 000088
【化９８】
2012503407.tif 000089
【化９９】
2012503407.tif 000090
ここで、ｑはシーケンスインデックスを表し、ｂｌｋはシーケンスを構成するサブブロックを表す。
（項目１２）
上記第１シーケンスであるＷｉ（ｐ）は、下記の数学式によりＱＰＳＫシンボルであるｗ２ｉ（ｐ）及びｗ２ｉ＋１（ｐ）に変調されることを特徴とする、項目１１に記載のシーケンス伝送方法：
【化１００】
2012503407.tif 000091
ここで、
【化１０１】
2012503407.tif 000092
であり、ｉは、０乃至１０７の整数を表す。
（項目１３）
無線通信システムにおいてシーケンスを検出するように構成された受信機であって、
ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）シンボル内の複数の副搬送波にマッピングされたシーケンスを送信機から受信するように構成された無線周波数（Ｒａｄｉｏ  Ｆｒｅｑｕｅｎｃｙ；ＲＦ）モジュールと、
下記のシーケンスセット１乃至３のうち少なくとも一部を保存するメモリーと、
上記メモリーに保存された少なくとも一つの第１シーケンスを用いて、上記受信されたシーケンスに相関演算を行うように構成され、相関値に基づいて上記受信されたシーケンスを検出するように構成されたプロセッサーと、を含む受信機：
【化１０２】
2012503407.tif 000093
【化１０３】
2012503407.tif 000094
【化１０４】
2012503407.tif 000095
【化１０５】
2012503407.tif 000096
【化１０６】
2012503407.tif 000097
【化１０７】
2012503407.tif 000098
【化１０８】
2012503407.tif 000099
【化１０９】
2012503407.tif 000100
【化１１０】
2012503407.tif 000101
【化１１１】
2012503407.tif 000102
【化１１２】
2012503407.tif 000103
ここで、ｑは、シーケンスインデックスを表し、ｂｌｋは、シーケンスを構成するサブブロックを表す。
（項目１４）
上記プロセッサーは、上記受信されたシーケンスの実数部及び虚数部と上記少なくとも一つの第１シーケンスの実数部及び虚数部間の組み合わせに対して予備相関演算を行い、複数の予備相関値を用いて上記受信されたシーケンスに対する上記少なくとも一つの第１シーケンス及びその複素共役シーケンスに対する相関値を計算するように構成されたことを特徴とする、項目１３に記載の受信機。
（項目１５）
上記プロセッサーは、上記受信されたシーケンスからセル識別子に関する情報を得るように構成されたことを特徴とする、項目１３に記載の受信機。